(57)【特許請求の範囲】
【請求項１】
略円筒形のリテーナの側面に帯状のろ布が巻着されて構成されるフィルタの前記ろ布を剥離する際に前記リテーナを内周面側から支持するろ布剥離用支持具であって、
前記フィルタが装着される主軸部材と、
前記主軸部材に取り付けられ、前記リテーナを前記内周面側から支持する支持部材と、を備え、
前記支持部材は、前記主軸部材を揺動回転可能に支持する自動調心軸受に、その外径が前記リテーナの内径と同一のフランジ部材を取り付けて構成され、該フランジ部材が前記リテーナを前記内周面側から当接して支持することを特徴とするろ布剥離用支持具。
【請求項２】
前記支持部材は、前記主軸部材の少なくとも前記リテーナの一端側と他端側にそれぞれ当接可能な部位に設けられていることを特徴とする請求項１に記載のろ布剥離用支持具。
【請求項３】
前記支持部材は、前記主軸部材に所定の間隔で２つ設けられていることを特徴とする請求項２に記載のろ布剥離用支持具。
【請求項４】
前記フランジ部材の周縁部は、弾性部材から構成されることを特徴とする請求項１乃至３の何れか１項に記載のろ布剥離用支持具。
【請求項５】
前記主軸部材の一端をＬ字型に折り曲げられて構成される固定部がさらに設けられていることを特徴とする請求項１乃至４の何れか１項に記載のろ布剥離用支持具。
【請求項６】
略円筒形のリテーナの側面に帯状のろ布が巻着されて構成されるフィルタの前記ろ布を剥離するろ布剥離方法であって、
請求項１乃至５の何れか１項に記載のろ布剥離用支持具に備わる支持部材の周縁部が前記リテーナの内周面と当接するように前記フィルタを前記ろ布剥離用支持具に取り付ける工程と、
前記リテーナの前記側面から前記ろ布を該ろ布の端部から剥離する工程と、
前記ろ布を前記端部から引張する工程と、を含み、
前記ろ布を前記端部から引張することによって前記フィルタを回転させながら連続的に前記ろ布を前記リテーナの前記側面から剥離することを特徴とするろ布剥離方法。
【発明の詳細な説明】
【技術分野】
【０００１】
本発明は、略円筒形のリテーナの側面に帯状のろ布を巻着させて構成されるフィルタのろ布を交換する際に使用するろ布剥離用支持具、及びろ布剥離方法に関する。
【背景技術】
【０００２】
排ガス中の固形分除去装置として、電気集塵機、デミスタ等が知られており、排ガス中にヒュームが含まれて、排ガスが白煙状になる場合は、排ガスを洗浄液または吸収液のシャワーに通過させて、排ガスからヒュームを除去するスクラバーや、ヒュームが微細な場合には、白煙処理装置が使用されている。白煙状の排気は、その殆どが液体の微粒子（水分・水溶性物質・オイル等）の場合が多く、例えば、半導体製造工程の排気処理のスクラバーの白煙、化学分析で発生する白煙、生産設備から発生する白煙等が知られている。
【０００３】
このような白煙処理装置に使用されるフィルタは、例えば、側面に通気のために多数の小孔が開口された円筒形のリテーナに帯状のろ布が巻きつけられる構成となっている。ろ布は、リテーナ底面の半径程度の幅を有するベルト状であり、リテーナの側面全体を覆うように、やや斜めにした状態で巻き付けられて３層になっている。ろ布の巻き初めと巻き終わりの部分は、巻きが解けないようにバンド等の固定手段で固定されている。
【０００４】
分析排ガス中の過塩素酸を主成分とするヒュームを除去する場合には、ろ布がリテーナに固着したり、ろ布が３層構造の場合は、ろ布同士が固着するので、ろ布交換時に固定手段となるバンドを外しただけでは、リテーナからろ布を取り外すことができないことがあった。このような場合には、ろ布をリテーナから剥ぎ取る必要がある。リテーナから固着したろ布をリテーナから効率的に剥ぎ取る装置として、特許文献１には、リテーナに固着したろ布を清浄ガス側から、手を汚さずに効率的に剥離することができるろ布剥離装置について開示されている。
【先行技術文献】
【特許文献】
【０００５】
【特許文献１】特開平０６−０２３２１６号公報
【発明の概要】
【発明が解決しようとする課題】
【０００６】
帯状のろ布が円筒形のリテーナの側面に斜め方向に巻きつけられて構成されるフィルタのろ布を交換する際に、リテーナを回転自在な軸受等の治具に固定し、ろ布の端部を引っ張りながら、軸受部を中心にしてリテーナを回転させながら、ろ布を剥ぎ取ることが行われている。
【０００７】
しかしながら、白煙処理装置の設計上の要請、すなわち、リテーナが薄手で表面に多数の開口部があることにより、又は、繰り返し白煙処理をすることによって、リテーナの断面が円形から潰れて楕円形に変形する場合がある。このように、リテーナの断面が楕円形に潰れて変形すると、フィルタのリテーナを固定する軸受部の外周面がリテーナの内周面に密着しないので、軸受部に対してリテーナががたついて安定した状態で固定されない。このように、がたついた状態でリテーナが軸受部に支持されると、ろ布を交換する際に、リテーナが効率よく回転せず、又はリテーナが損傷するため、ろ布を剥離する作業効率が低下して、多大な作業工数が必要になるという問題点があった。
【０００８】
本発明は、上記課題に鑑みてなされたものであり、円筒形のリテーナの側面に帯状のろ布を巻着させて構成されるフィルタのろ布の交換作業の効率を向上させることの可能な、新規かつ改良されたろ布剥離用支持具、及びろ布剥離方法を提供することを目的とする。
【課題を解決するための手段】
【０００９】
本発明の一態様は、略円筒形のリテーナの側面に帯状のろ布が巻着されて構成されるフィルタの前記ろ布を剥離する際に前記リテーナを内周面側から支持するろ布剥離用支持具であって、前記フィルタが装着される主軸部材と、前記主軸部材に取り付けられ、前記リテーナを前記内周面側から支持する支持部材と、を備え、前記支持部材は、前記主軸部材を揺動回転可能に支持する自動調心軸受に、その外径が前記リテーナの内径と同一のフランジ部材を取り付けて構成され、該フランジ部材が前記リテーナを前記内周面側から当接して支持することを特徴とする。
【００１０】
本発明の一態様によれば、支持部材が揺動回転可能にリテーナを内周面側から支持するので、リテーナの断面が楕円形等に変形しても、フィルタのろ布を交換する際に、リテーナを安定した状態で回転させながら支持できる。
【００１１】
このとき、本発明の一態様では、前記支持部材は、前記主軸部材の少なくとも前記リテーナの一端側と他端側にそれぞれ当接可能な部位に設けられていることとしてもよい。
【００１２】
このようにすれば、リテーナの両端部を支持部材で安定した状態で揺動回転可能に支持するので、リテーナの断面が楕円形等に変形しても、フィルタのろ布を交換する際に、リテーナを安定した状態で回転させながら支持できる。
【００１３】
また、本発明の一態様では、前記支持部材は、前記主軸部材に所定の間隔で２つ設けられていることとしてもよい。
【００１４】
このようにすれば、リテーナの断面が楕円形等に変形しても、フィルタのろ布を交換する際に、リテーナを安定した状態で回転可能に支持できる。
【００１５】
また、本発明の一態様では、前記フランジ部材の周縁部は、弾性部材から構成されることとしてもよい。
【００１６】
このようにすれば、リテーナの断面が楕円形等に変形しても、フランジ部材の周縁部が弾性変形するので、変形したリテーナの内周面との密着力を高めて、安定した状態でリテーナを支持できる。
【００１７】
また、本発明の一態様では、前記主軸部材の一端をＬ字型に折り曲げられて構成される固定部がさらに設けられていることとしてもよい。
【００１８】
このようにすれば、フィルタのろ布を交換する際に、固定部を基台等に固定してろ布剥離用支持具を支持することができる。
【００１９】
また、本発明の他の態様は、略円筒形のリテーナの側面に帯状のろ布が巻着されて構成されるフィルタの前記ろ布を剥離するろ布剥離方法であって、上記の何れかに記載のろ布剥離用支持具に備わる支持部材の周縁部が前記リテーナの内周面と当接するように前記フィルタを前記ろ布剥離用支持具に取り付ける工程と、前記リテーナの前記側面から前記ろ布を該ろ布の端部から剥離する工程と、前記ろ布の前記端部を所定の方向に引張する工程と、を含み、前記ろ布を前記端部から引張することによって前記フィルタを回転させながら連続的に前記ろ布を前記リテーナの前記側面から剥離することを特徴とする。
【００２０】
本発明の他の態様によれば、支持部材が揺動回転可能にリテーナを内周面側から支持するので、リテーナの断面が楕円形等に変形しても、フィルタのろ布を交換する際に、リテーナを安定した状態で回転させながら支持できるので、ろ布の交換作業の効率が向上する。
【発明の効果】
【００２１】
以上説明したように本発明によれば、支持部材が揺動回転可能にリテーナを内周面側から支持するので、リテーナの断面が楕円形等に変形しても、リテーナを安定した状態で回転させながら支持できる。このため、フィルタのろ布を交換する際に、交換作業の効率が向上する。
【図面の簡単な説明】
【００２２】
【図１】本発明の一実施形態に係るろ布剥離用支持具の概略構成を示す斜視図である。
【図２】本発明の一実施形態に係るろ布剥離用支持具に備わる支持部材の構成を示す断面図である。
【図３】本発明の一実施形態に係るろ布剥離用支持具の使用状態を示す斜視図である。
【図４】本発明の一実施形態に係るろ布剥離方法の概略を示すフロー図である。
【発明を実施するための形態】
【００２３】
以下、本発明の好適な実施の形態について詳細に説明する。なお、以下に説明する本実施形態は、特許請求の範囲に記載された本発明の内容を不当に限定するものではなく、本実施形態で説明される構成の全てが本発明の解決手段として必須であるとは限らない。
【００２４】
まず、本発明の一実施形態に係るろ布剥離用支持具の構成について、図面を使用しながら説明する。図１は、本発明の一実施形態に係るろ布剥離用支持具の概略構成を示す斜視図であり、図２は、本発明の一実施形態に係るろ布剥離用支持具に備わる支持部材の構成を示す断面図である。なお、図２は、図１のＡ−Ａ断面図となっている。
【００２５】
本発明の一実施形態に係るろ布剥離用支持具１００は、白煙除去装置等に設けられる略円筒形のフィルタのリテーナ表面にらせん状に巻回されて貼り付けられた帯状のろ布を交換する際に使用される。具体的には、略円筒形のリテーナの側面に帯状のろ布が巻着されて構成されるフィルタのろ布を剥離する際に、リテーナを内周面側から支持するために使用される。
【００２６】
本実施形態のろ布剥離用支持具１００は、フィルタが装着される主軸部材１１０と、主軸部材１１０に取り付けられ、リテーナを内周面側から支持する支持部材１２０と、を備えている。
【００２７】
主軸部材１１０は、ろ布剥離用支持具１００の中心軸となるメインパイプであり、フィルタが装着される領域側がフィルタ装着部１１２となっている。そして、主軸部材１１０の一端には、フィルタのろ布を交換する際に、壁や基台等に固定するために使用されるＬ字型に折り曲げられて構成される固定部１１４が設けられている。すなわち、本実施形態では、主軸部材１１０は、フィルタ装着部１１２と固定部１１４から構成されている。
【００２８】
支持部材１２０は、主軸部材１１０のフィルタ装着部１１２に、所定の間隔で２つ設けられている。本実施形態では、支持部材１２０は、主軸部材１１０の少なくともリテーナの一端側と他端側にそれぞれ当接可能な部位に設けられている。具体的には、支持部材１２０は、リテーナ中空部の長さにあわせて、フィルタ装着部１１２の各両端の内側近傍に設けられる。例えば、フィルタ装着部１１２の一端からの長さの１〜２割程度の長さの地点に一方の支持部材１２０が設けられ、フィルタ装着部１１２の一端からの長さの８〜９割程度の長さの地点に他方の支持部材１２０が設けられている。
【００２９】
なお、本実施形態では、支持部材１２０が２つ設けられているが、支持部材１２０の個数は、２個に限定されない。例えば、支持部材１２０に厚みを持たせてフィルタを安定支持できる構成であれば、１つでもよく、また、リテーナの両端側を支持部材１２０で安定した状態で揺動回転可能に支持するために、支持部材１２０は、主軸部材１１０の少なくともリテーナの一端側と他端側にそれぞれ当接可能な部位に設けられていればよいので、フィルタが長尺化されている場合には、支持部材１２０は、主軸部材１１０のフィルタ装着部１１２に所定の間隔で３個以上を設けてもよい。
【００３０】
支持部材１２０は、主軸部材１１２を揺動回転可能に支持する自動調心軸受１２２に、その外径がリテーナの内径と同一の略円形のフランジ部材１２４をボルト１２６、ナット１２８等の固定手段を介して取り付けて構成されている。自動調心軸受１２２は、図２に示すように、主軸部材１１２を支持する内輪部１２２ａがボールベアリング機構１２２ｃを介して外輪部１２２ｂに支持されている。
【００３１】
このため、軸部材１１２を支持するために固定されている内輪部１２２ａに対して、ボールベアリング機構１２２ｃを介して支持されている外輪部１２２ｂが主軸部材１１０に対して揺動回転可能になっている。なお、本実施形態では、自動調心軸受１２２は、ボールベアリング機構１２２ｃを介して、軸たわみ等を吸収する調心性を確保しているが、自動調心軸受１２２は、例えば、軸受となる内輪部１２２ａと外輪部１２２ｂとの当接面を曲面として、軸たわみ等を吸収する調心性を確保する構成としてもよい。
【００３２】
自動調心軸受１２２の外輪部１２２ｂは、ボルト１２６、ナット１２８を介してフランジ部材１２４に取り付けられて一体化されている。支持部材１２０をこのような構成とすることによって、支持部材１２０に装着されるリテーナの内周面をフランジ部材１２４で支持して、当該リテーナの回転と同期して主軸部材１１０に対して揺動回転可能になっている。
【００３３】
また、本実施形態では、フランジ部材１２４の周縁部１２４ａは、図２に示すように、ゴム材等の弾性を有する弾性部材から構成されている。このため、リテーナの断面が楕円形等に変形して、フランジ部材１２４との隙間が発生した場合でも、フランジ部材１２４の周縁部１２４ａが弾性変形して発生した隙間を吸収する。これによって、ろ布を引き剥がす際にリテーナに掛けられる回転力よりも、リテーナとフランジ部材１２４との密着力の方が大きくなるので、変形したリテーナの内周面との密着力を実質的に高めて、安定した状態でリテーナを支持できる。なお、フランジ部材１２４の周縁部１２４ａを構成するゴム材は、変形したリテーナの内周面との密着性を確保可能な厚さを有する必要があるが、リテーナの材質に伴う摩擦係数、変形の程度に伴う長径と短径の差分により、フランジ部材１２４の本体の径を含めて、適宜調整すればよい。
【００３４】
次に、本発明の一実施形態に係るろ布剥離用支持を用いてフィルタのろ布を剥離する状態について、図面を使用しながら説明する。図３は、本発明の一実施形態に係るろ布剥離用支持具の使用状態を示す斜視図である。なお、図３では、本発明の一実施形態に係るろ布剥離用支持具によってフィルタが支持されている使用状態を説明するために、フィルタの一部を破断した状態で示している。
【００３５】
前述したように、本発明の一実施形態に係るろ布剥離用支持具１００は、白煙除去装置等に設けられる略円筒形のフィルタ１０のリテーナ１２の表面に貼り付けられた帯状のろ布１４を交換する際に、リテーナ１２を内周面１２ａから支持するために使用される。本実施形態では、主軸部材１１０のフィルタ装着部１１２に揺動回転自在に取り付けられた支持部材１２０の周縁部１２０ａ（図２参照）にリテーナ１２の内周面１２ａが当接するように、フィルタ１０をろ布剥離用支持具１００に取り付ける。
【００３６】
フィルタ１０を構成するリテーナ１２は、ＳＵＳ系、硬質塩化ビニル、ＳＳ等の材質から形成される略円筒形の部材であり、例えば、長さが８００〜１０００ｍｍ程度で内径が１５０〜３００ｍｍ程度の大きさである。リテーナ１２の側面には、内径が５ｍｍ程度の小孔（図示せず）が所定の密度分布で形成され、かつ、側面の肉厚が３〜５ｍｍ程度となっている。
【００３７】
リテーナ１２の外周面側には、ガラス繊維やガラス布、ポリプロピレン布等の材質から形成される帯状のろ布１４がらせん状に３層巻回されて張り付けられている。そして、ろ布１４の端部１４ａがＳＵＳ系やＰＰ、ＰＥ等の材質からなるバンドで固定されている。
【００３８】
フィルタ１０の使用による経年変化等により、フィルタ１０の目詰まり等が発生すると、フィルタ１０のリテーナ１２の外周面側に巻着されたろ布１４を交換する必要がある。その際に、リテーナ１２をろ布剥離用支持具１００に備わる回転自在な主軸部材１１０のフィルタ装着部１１２に取り付けられた支持部材１２０に固定して、ろ布１４の端部１４ａを引っ張りながら、主軸部材１１０を中心にしてリテーナ１２を回転させながら、ろ布１４を剥ぎ取る作業を行う。
【００３９】
フィルタ１０を構成するリテーナ１２は、肉厚が薄手で所定の密度分布で小孔が多数形成されている構成なので、使用による経年変化等により断面が潰れて、楕円形等に変形し易い。このため、支持部材の周縁部とリテーナ１２の内周面１２ａとの間に隙間が発生してがたつきが発生した状態でフィルタ１０のろ布１４を交換作業すると、リテーナ１２が効率よく回転しない場合や、リテーナ１２が損傷する場合があり、ろ布１４を剥離する作業効率が低下して、余分な作業工程が必要とされる。
【００４０】
このため、本実施形態では、主軸部材１１０に取り付けた支持部材１２０の外径をリテーナ１２の内径と同一として、かつ、支持部材１２０が揺動回転可能にリテーナ１２を内周面１２ａ側から支持する構成としている。このような構成とすることによって、使用によりリテーナ１２の断面が楕円形等に変形しても、支持部材１２０を幾分傾けた状態にして当該支持部材１２０の周縁部１２０ａをリテーナ１２の内周面１２ａと実質的に密着させて支持されるようになる。すなわち、円形のフランジ部材１２４が主軸部材１１０に対して斜めにセットできることにより、主軸部材１１０の軸方向から見て、円形のフランジ部材１２４が楕円形となり、リテーナ１２の変形を充分に吸収することができる。
【００４１】
このように、本実施形態では、フィルタ１０のろ布１４を交換する際に、フィルタ１０の全体が主軸部材１１０に揺動回転自在に固定されて支持されるので、リテーナ１２の側面に巻き付けられて固着したベルト状（帯状）のろ布１４の端部１４ａを引っ張るだけで、ろ布１４は、フィルタ１０から容易に引き剥がすことができる。すなわち、リテーナ１２の内周面１２ａと支持部材１２０のフランジ部材１２４の外周部１２４ａとを実質的に密着させて支持することが可能となるので、ベルト状ろ布１４の端部１４ａを引っ張る作業をしても、フィルタ全体が主軸部材１１０の周方向にがたつきなく回転させることができるので、ろ布１４を交換の際の効率的な剥ぎ取り作業が可能になる。
【００４２】
次に、本発明の一実施形態に係るろ布剥離用支持具によるろ布剥離方法について、図面を使用しながら説明する。図４は、本発明の一実施形態に係るろ布剥離方法の概略を示すフロー図である。
【００４３】
本発明の一実施形態に係るろ布剥離方法は、白煙除去装置等に設けられる略円筒形のリテーナの側面に帯状のろ布が巻着されて構成されるフィルタのろ布を剥離する際に使用される。本実施形態のろ布剥離方法は、フィルタをろ布剥離用支持具に装着する工程Ｓ１１、支持部材をリテーナ内周面に嵌合する工程Ｓ１２、ろ布の端部をリテーナ側面から剥離する工程Ｓ１３、ろ布を端部から引張する工程Ｓ１４、リテーナを回転させながらろ布を剥離する工程Ｓ１５を含み、ろ布を端部から引張することによってフィルタを回転させながら連続的にろ布をリテーナの側面から剥離することを特徴とする。
【００４４】
本実施形態では、まず、フィルタを前述した本発明の一実施形態に係るろ布剥離用支持具に装着する（工程Ｓ１１）。フィルタをろ布剥離用支持具のフィルタ装着部に装着する際に支持部材の周縁部がリテーナの内周面と当接するように、支持部材の角度を調整しながらリテーナの内周面に嵌合させて、フィルタをろ布剥離用支持具のフィルタ装着部に取り付ける（工程１２）。
【００４５】
その後、ろ布の端部の固定手段となるバンドを外して、ろ布の端部をリテーナの側面から剥離してから（工程Ｓ１３）、ろ布を端部から引張する（工程Ｓ１４）。このようにろ布を端部から引張することによって、ろ布剥離用支持具に回転自在に装着されたフィルタが回転するようになるので、フィルタ（リテーナ）を回転させながら連続的にろ布がリテーナの側面から剥離される（工程Ｓ１５）。
【００４６】
本実施形態では、支持部材が揺動回転可能にリテーナを内周面側から支持する構成となっているので、リテーナの断面が楕円形等に変形しても、フィルタのろ布を交換する際に、支持部材を傾けてリテーナの内周面に当接させられる。このため、リテーナをがたつかせることなく、安定した状態で円滑に回転させながら支持できるので、ろ布を引き剥がす作業を容易にして、効率的に剥ぎ取ることが可能となる。
【００４７】
すなわち、リテーナ側面に固着したろ布の端部を剥ぎ取ってから、ベルト状のろ布を所定の方向に単純に引っ張ることにより、リテーナとろ布、又はろ布同士の固着を解除しながら、同時にフィルタ全体を回転させて、連続的にろ布を剥ぎ取る作業が行えるようになる。このため、ろ布の剥ぎ取り作業に要する作業工数を大幅に削減して、ろ布の交換作業の効率が向上する。また、従来のように、刃物でろ布を切断する必要がないため、作業員が切創を負うリスクも低減し、フィルタのろ布の交換作業を安全に行なうことができる。
【００４８】
なお、本発明の一実施形態に係るろ布剥離用支持具及びろ布剥離方法は、例示した白煙処理装置のフィルタだけでなく、リテーナ断面が楕円形であって、リテーナ側面にベルト状（帯状）にろ布を巻き付けている構造のフィルタであれば、かかるろ布の引き剥がし作業時に良好に適用可能である。
【実施例】
【００４９】
次に、本発明の一実施形態に係るろ布剥離用支持具及びろ布剥離方法について実施例により詳しく説明する。なお、本発明は、これらの実施例に限定されるものではない。
【００５０】
本発明の一実施形態に係るろ布剥離用支持具及びろ布剥離方法に係る試験条件として、本発明の一実施形態に係るろ布剥離用支持具を適用してフィルタのろ布剥離を行った実施例と、当該ろ布剥離用支持具を適用しないでフィルタのろ布剥離を行った比較例について、それぞれの作業効率等について確認した。
【００５１】
実施例及び比較例において、使用したフィルタの本数は、２０本である。また、リテーナは、長さが９００ｍｍ、内径が２００ｍｍ、側面に設けられる小孔の内径がφ５ｍｍ、肉厚が３ｍｍ、開孔密度が側面５０ｍｍ四方に約２０か所、断面形状が楕円形、材質が硬質塩化ビニルのものを使用した。さらに、帯状のろ材として、最内側がポリプロピレン製で幅１００ｍｍ、中間層がガラスウール製で幅が１００ｍｍ、最外側がポリプロピレン製で幅が１００ｍｍの３層のものを使用した。
【００５２】
実施例では、本発明の一実施形態に係るろ布剥離用支持具を適用してフィルタのろ布を引き剥がすろ布剥離作業を行った。その結果、フィルタの取り外し・取り付け作業、及びろ布剥がし作業が２人作業で２時間程度、作業工数として約４人・時が必要だった。
【００５３】
一方、比較例では、本発明の一実施形態に係るろ布剥離用支持具を適用せず、フィルタからろ布を引き剥がす際に、刃物を使用してろ布を切断して作業した。その結果、フィルタの取り外し・取り付け作業、及びろ布剥がし作業が４人作業で、７．５時間程度、作業工数として約３０人・時が必要だった。このことから、本発明の一実施形態に係るろ布剥離用支持具を適用することによって、作業工数の約９割が削減されたことが分かった。すなわち、本発明の一実施形態に係るろ布剥離用支持具を適用することによって、フィルタのろ布を交換する際に、交換作業の効率が向上することが分かった。
【００５４】
なお、上記のように本発明の各実施形態及び各実施例について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【００５５】
例えば、明細書又は図面において、少なくとも一度、より広義又は同義な異なる用語と共に記載された用語は、明細書又は図面のいかなる箇所においても、その異なる用語に置き換えることができる。また、ろ布剥離用支持具の構成、動作も本発明の各実施形態及び各実施例で説明したものに限定されず、種々の変形実施が可能である。
【符号の説明】
【００５６】
１０  フィルタ、１２  リテーナ、１２ａ  内周面、１４  ろ布、１４ａ  （ろ布の）端部、１００  ろ布剥離用支持具、１１０  主軸部材、１１２  フィルタ装着部、１１４  固定部、１２０  支持部材、１２２  自動調心軸受、１２２ａ  内輪部、１２２ｂ  外輪部、１２２ｃ  ボールベアリング機構、１２４  フランジ部材、１２４ａ  周縁部、１２６  ボルト、１２８  ナット、Ｓ１１  フィルタをろ布剥離用支持具に装着する工程、Ｓ１２  支持部材をリテーナ内周面に嵌合する工程、Ｓ１３  ろ布の端部をリテーナ側面から剥離する工程、Ｓ１４  ろ布を端部から引張する工程、Ｓ１５  リテーナを回転させながらろ布を剥離する工程
【図１】
0006497335.tif 000002
【図２】
0006497335.tif 000003
【図３】
0006497335.tif 000004
【図４】
0006497335.tif 000005